(57)【特許請求の範囲】
【請求項１】
出力すべき映像信号の原信号が３Ｄ表示用信号か２Ｄ表示用信号かを判断する信号判別部と、
前記信号判別部の判断結果に応じて、前記原信号が３Ｄ表示用信号であるか２Ｄ表示用信号であるかの信号の種別と、２Ｄ表示出力状態か３Ｄ表示出力状態であるかの表示出力状態と、を関連づけて表示する状態表示部と
を備えることを特徴とする立体映像出力装置。
【請求項２】
前記信号判別部は、外部入力機器の信号を取得してその信号が３Ｄ表示用信号であるか２Ｄ表示用信号であるかの信号の種別を判断し、
前記状態表示部は、前記信号判別部の判断結果に応じて前記外部入力機器の信号の種別と前記表示出力状態とを関連づけて表示する
ことを特徴とする請求項１に記載の立体映像出力装置。
【請求項３】
前記信号判別部は、チューナーが受信した信号及び外部入力機器から入力された信号を前記原信号として取得し、前記原信号が３Ｄ表示用信号であるか２Ｄ表示用信号であるかの信号の種別を判断し、
前記状態表示部は、前記信号判別部の判断結果に応じて、前記チューナーが受信した信号の種別と、前記外部入力機器の信号の種別と、前記表示出力状態とを関連づけて表示する
ことを特徴とする請求項１に記載の立体映像出力装置。
【請求項４】
前記状態表示部は、前記外部入力機器の信号が２Ｄ表示用信号である場合に、前記外部入力機器の信号が３Ｄ表示用信号を２Ｄ表示用信号に変換したものであるか否かを判別可能に表示することを特徴とする請求項２または３に記載の立体映像出力装置。
【請求項５】
前記信号判別部は、現在視聴中のプログラムとは別のプログラムに３Ｄコンテンツが存在するか否かを判別し、判別結果に応じて前記状態表示部の表示態様を制御することを特徴とする請求項１から４のいずれかに記載の立体映像出力装置。
【請求項６】
前記信号判別部は、３Ｄコンテンツのプログラムの予定があるか否かを判断し、判断結果に応じて前記状態表示部の表示態様を制御することを特徴とする請求項１から５のいずれかに記載の立体映像出力装置。
【請求項７】
映像を表示する表示パネルを備え、
前記状態表示部は、前記表示パネルの周囲枠に配置されていることを特徴とする請求項１から６のいずれかに記載の立体映像出力装置。
【発明の詳細な説明】
【技術分野】
【０００１】
本発明は、立体映像出力装置に係り、特に立体映像表示機能を有する立体映像出力装置に関する。
【背景技術】
【０００２】
近年、液晶テレビに代表される薄型表示装置では、従来では高級機の一部にしか搭載されなかった立体映像表示（以下、「３Ｄ表示」ともいう）機能が、普及帯の機種にも搭載されるようになっている。また、３Ｄコンテンツの充実に伴い、ＢＤプレーヤ等においても、多くの機種で３Ｄ表示に対応するようになっている。
【０００３】
そして、このよう状況下、３Ｄ表示の状態を認識可能とするユーザフレンドリーな様々な提示手段技術が提案されている。例えば、表示される画像が立体画像である旨の警告を行った後に選択された画像を表示手段に表示する技術がある（例えば、特許文献１参照）。具体的には、記録媒体に記録されている画像データを表示手段に表示を行うため画像を選択し、選択された画像が平面画像であるか立体画像であるかを判定する。判定結果が立体画像である場合には、音発生手段、振動発生手段、光発生手段等を用いて、その旨を通知する。
【０００４】
また、別の技術として、映像表示部に表示されている映像が立体映像であるか、平面映像であるかを観察者が容易に認識することが出来る技術が開示されている（例えば、特許文献２参照）。この技術では、立体映像表示装置において、立体映像を表示するための映像信号か判定する入力信号判定回路を有し、判定結果に応じてモード表示のためのキャラクタ信号を映像信号に混合し、映像表示部に立体表示マークをモード表示としてオンスクリーン表示する。
【０００５】
また、液晶テレビのフレーム部分に、液晶表示部とは別にＬＥＤ等による表示手段を設けて、点灯・消灯により３Ｄ視聴状態を示す液晶テレビの製品も市場に投入されている。画面が３Ｄ映像であれば３Ｄ状態表示部が点灯させ、３Ｄ映像でなければ同表示部が消灯する。
【先行技術文献】
【特許文献】
【０００６】
【特許文献１】特開２０１０−１７１７３０号公報
【特許文献２】特開平０７−２７４２１６号公報
【発明の概要】
【発明が解決しようとする課題】
【０００７】
ところで、特許文献１に開示の技術では、ＨＤＤや着脱可能な記録媒体に記録された画像データをレンチキュラーレンズ方式の３Ｄモニターで再生することが想定されている。３Ｄ画像が表示されること事前に警告し、突然３Ｄ画像が現れることによるユーザの心理的ショックを軽減することを目的としている。また、特許文献２に開示の技術では、画面上にＯＳＤにて画面３Ｄ映像であることだけを警告する。したがって、画面の表示と干渉し表示品位を低下させるおそれがある。また、点灯・消灯（又は別色点灯）により３Ｄ視聴状態を示す３Ｄ状態表示部を備える構成の製品では、画面が３Ｄ映像状態であれば３Ｄ状態表示部が点灯、画面が３Ｄ映像でなければ同表示部が消灯（又は別色点灯）と単調な分類になっている。ここで、表示映像が３Ｄである場合、表示部を点灯させ、３Ｄグラス着用を促す等の活用が想定されるが、そもそもそれだけであれば、画面映像を見れば大抵のユーザは３Ｄ映像であると判別できことが多いと思われる。つまり、状態表示部を設けていても十分に活用しているとはいえず、活用すべく別の技術が求められていた。
【０００８】
本発明は以上のような状況に鑑みなされたものであって、上記課題を解決する技術を提供することを目的とする。
【課題を解決するための手段】
【０００９】
本発明に係る立体映像出力装置は、出力すべき映像信号の原信号が３Ｄ表示用信号か２Ｄ表示用信号かを判断する信号判別部と、前記信号判別部の判断結果に応じて、前記原信号が３Ｄ表示用信号であるか２Ｄ表示用信号であるかの信号の種別と、２Ｄ表示出力状態か３Ｄ表示出力状態であるかの表示出力状態と、を関連づけて表示する状態表示部とを備える。
また、前記信号判別部は、外部入力機器の信号を取得してその信号が３Ｄ表示用信号であるか２Ｄ表示用信号であるかの信号の種別を判断し、前記状態表示部は、前記信号判別部の判断結果に応じて前記外部入力機器の信号の種別と前記表示出力状態とを関連づけて表示してもよい。
また、前記信号判別部は、チューナーが受信した信号及び外部入力機器から入力された信号を前記原信号として取得し、前記原信号が３Ｄ表示用信号であるか２Ｄ表示用信号であるかの信号の種別を判断し、前記状態表示部は、前記信号判別部の判断結果に応じて、前記チューナーが受信した信号の種別と、前記外部入力機器の信号の種別と、前記表示出力状態とを関連づけて表示してもよい。
また、前記状態表示部は、前記外部入力機器の信号が２Ｄ表示用信号である場合に、前記外部入力機器の信号が３Ｄ表示用信号を２Ｄ表示用信号に変換したものであるか否かを判別可能に表示してもよい。
また、前記信号判別部は、現在視聴中のプログラムとは別のプログラムに３Ｄコンテンツが存在するか否かを判別し、判別結果に応じて前記状態表示部の表示態様を制御してもよい。
また、前記信号判別部は、３Ｄコンテンツのプログラムの予定があるか否かを判断し、判断結果に応じて前記状態表示部の表示態様を制御してもよい。
また、映像を表示する表示パネルを備え、前記状態表示部は、前記表示パネルの周囲枠に配置されてもよい。
【発明の効果】
【００１０】
本発明によれば、出力されるコンテンツの信号の種別及び表示状態が２Ｄであるか３Ｄであるかを容易に把握できる。
【図面の簡単な説明】
【００１１】
【図１】第１の実施形態に係る、液晶テレビの外観を示す図である。
【図２】第１の実施形態に係る、液晶テレビの機能ブロック図である。
【図３】第１の実施形態に係る、３Ｄ状態表示部におけるイルミネーション表示処理に着目したフローチャートである。
【図４】第１の実施形態に係る、３Ｄ状態表示部の表示パターンを示したテーブルである。
【図５】第２の実施形態に係る、３Ｄ状態表示部におけるイルミネーション表示処理に着目したフローチャートである。
【図６】第３の実施形態に係る、３Ｄ状態表示部におけるイルミネーション表示処理に着目したフローチャートである。
【図７】第３の実施形態に係る、３Ｄ状態表示部の表示パターンを示したテーブルである。
【図８】第５の実施形態に係る、二つの３Ｄ状態表示部を有し予定されている３Ｄ放送を報知する場合の表示状態を示した図である。
【図９】第６の実施形態に係る、ＥＰＧの選択状態と３Ｄ状態表示部の表示パターンの関係を示した図である。
【図１０】第６の実施形態に係る、ＥＰＧの選択状態と３Ｄ状態表示部との連動表示処理を示したフローチャートである。
【図１１】第７の実施形態に係る、３Ｄ視聴累計による警告処理に伴う３Ｄ状態表示部の表示処理を示したフローチャートである。
【図１２】第８の実施形態に係る、３Ｄサラウンド設定情報を３Ｄ状態表示部へ反映させるときの処理を示したフローチャートである。
【図１３】第９の実施形態に係る、３Ｄ明るさ設定情報を３Ｄ状態表示部へ反映させるときの処理を示したフローチャートである。
【発明を実施するための形態】
【００１２】
次に、本発明を実施するための形態（以下、単に「実施形態」という）を、図面を参照して具体的に説明する。
【００１３】
＜第１の実施形態＞
本実施形態で３Ｄ表示機能を有する立体映像出力装置の一例として液晶テレビについて説明する。この液晶テレビにおける２Ｄ及び３Ｄ映像表示については、（１）３Ｄ信号受信→３Ｄ映像表示、（２）３Ｄ信号受信→強制２Ｄ映像表示、（３）２Ｄ信号受信→２Ｄ映像表示、（４）２Ｄ信号受信→擬似３Ｄ映像表示の４態様が存在する。そこで、液晶テレビは、まず、放送波や周辺機器（外部入力機器）からの入力信号（原信号）の信号種別の判定を行い、原信号が３Ｄ表示用信号（以下単に「３Ｄ信号」という）であるか２Ｄ表示用信号（以下、単に「２Ｄ信号」という）であるか特定する。つづいて、画面の表示状態が３Ｄ画面表示であるか否かを判断する。そして、原信号の信号種別と表示状態との関係を判別可能に、液晶テレビの表示パネル外枠部分に配置された状態表示部にイルミネーション表示する。以下、詳細に説明する。
【００１４】
図１は、本実施形態に係る液晶テレビ１０の正面図である。図示のように、液晶テレビ１０は、正面視で左下部分のパネル外枠部分に３Ｄ状態表示部７０を備える。この３Ｄ状態表示部７０には、原信号の信号種別と表示状態との関係が分かるように表示される。表示態様については後述するが、例えば、原信号が３Ｄ信号で表示状態が３Ｄ表示であれば、青色で「３Ｄ」と表示する。また、原信号が３Ｄ信号で表示状態が２Ｄ表示であれば、青色点滅で「３Ｄ」と表示する。
【００１５】
図２は、本実施形態に係る液晶テレビ１０の構成を示す機能ブロック図である。液晶テレビ１０は、ソース部２０と、デコード／キャプチャ部４２と、ビデオセレクタ部４４と、映像処理部４６と、表示制御部５０と、液晶表示部６２と、３Ｄグラス制御部６６と、３Ｄ状態表示部７０とを備える。さらに、液晶テレビ１０は、各構成要素を統括的に制御するＣＰＵ９０と、作業領域及び記録領域であるメモリ９２と、ＥＰＧ／ＯＳＤ処理部８０と、リモコン受信部８４と、リモートコントローラ８６とを備える。
【００１６】
ソース部２０は、デジタル受信部３０と、外部入力部２２と、記録／再生部２４とを備える。デジタル受信部３０は、アンテナに接続されデジタル放送を受信する。外部入力部２２は、外部機器１１と接続され、外部機器１１のコンテンツを取得する。外部機器１１は、例えば、ＢＤプレーヤやビデオカメラ、衛星放送受信器、モバイル端末、タブレットＰＣ等などである。接続のインタフェイスは、リンク通信が可能なＨＤＭＩやＵＳＢ、有線ＬＡＮ、ＷｉＦｉ等である。記録／再生部２４は、録画再生機能を有するＤＢドライブやＤＶＤドライブ、ＨＤＤ、メモリカードなどである。
【００１７】
デジタル受信部３０は、デジタルチューナ部３２と、デジタル復調部３４と、分離部（DeMUX）３６とを備える。デジタルチューナ部３２は、指定された周波数の信号（変調波）を取得する。デジタル復調部３４は、デジタルチューナ部３２で取得された変調波の信号を復調し、誤り訂正処理やフレームの再構成等の処理を行う。分離部３６は、デジタル復調部３４の処理後、多重化されたＴＳから必要なストリームを抽出し、デコード／キャプチャ部４２へ出力する。デコード／キャプチャ部４２は、例えば、ＭＰＥＧ規格に従って復号化処理を行う。ビデオセレクタ部４４は、ソース部２０のいずれのソースを表示するかを選択する。
【００１８】
映像処理部４６は、映像、音声、データの提示処理を行う。つまり、映像処理部４６は、映像信号の調整を行ったり、必要に応じて映像信号の上にデータ放送画面を重ねたり、字幕データを重ねたり、また、スケーリング処理を行ったりする。なお、ＯＳＤ（On-Screen Display）表示やＥＰＧ（Electronic Program Guide）表示を行う場合は、ＥＰＧ／ＯＳＤ処理部８０がＣＰＵ９０と協働によって処理を行う。
【００１９】
表示制御部５０は、３Ｄ処理部５２と３Ｄ−２Ｄ変換部５４と、状態表示設定部５６と、を備える。表示制御部５０は、原信号が２Ｄ信号であり、出力が２Ｄ表示のままであるならば、映像処理部４６から取得した信号を液晶表示部６２へ出力する。３Ｄ処理部５２は、原信号が３Ｄ信号である場合、３Ｄ信号に適した処理を行う。つまり、３Ｄ処理部５２は、右目用映像と左目用映像を生成し、液晶表示部６２に出力する。一般に、ユーザは、右目用シャッターと左目用シャッターを備えた３Ｄ用グラスを装着して、映像と同期させて鑑賞することで、映像を立体的に把握できる。そして、３Ｄ用グラスとの同期処理は３Ｄグラス制御部６６が行う。なお、３Ｄ処理に関しては、さまざまな方式があるが、本実施形態では、いずれの方式の３Ｄ処理が用いられてもよく特に限定する物ではない。
【００２０】
３Ｄ−２Ｄ変換部５４は、原信号が３Ｄ信号であり、出力状態として２Ｄが選択さされている場合に、２Ｄ信号を生成し、液晶表示部６２に出力する。
【００２１】
状態表示設定部５６は、３Ｄ状態表示部７０の表示制御を行うとともに、イルミネーション表示機能のユーザ設定を行い記録する。原信号が３Ｄ信号であるか否かは、信号自体を解析して判断してもよいし、信号中に含まれる３Ｄ信号を示すフラグ等を参照することで判断してもよい。
【００２２】
液晶表示部６２は、液晶パネルとその液晶パネルを駆動するパネルコントローラ等を備える。
【００２３】
３Ｄ状態表示部７０は、上述したように、液晶表示部６２とは独立して設けられたＬＥＤ等で構成された表示手段であって、原信号と出力状態との関係を所定の表示態様でイルミネーション表示する。さらに、原信号のソースの種別もイルミネーション表示に反映される。例えば、外部機器１１のコンテンツを表示する場合、液晶テレビ１０は、外部機器１１からの原信号が３Ｄ信号か否か、及び液晶表示部６２への表示状態が３Ｄ表示か否かが分かる態様で、３Ｄ状態表示部７０におけるイルミネーション表示を行う。イルミネーション表示機能に関して、ユーザが設定可能であり、所定のメニュー画面において、例えば「常時消灯」、「自動（オン）」、「手動」から選択可能となっている。「常時消灯」の場合は、３Ｄ状態表示部７０では表示されない。「自動（オン）」の場合は、３Ｄ状態表示部７０は、上述したように、自動で原信号と表示状態とを判別し、判別結果に応じたイルミネーション表示を行う。「手動」の場合、ユーザがリモートコントローラ８６で所定のボタンを押下するなどの操作にのみ応答して３Ｄイルミネーション表示を行う。
【００２４】
以上の構成による具体的な動作について説明する。図３は、デジタル受信部３０又は記録／再生部２４のコンテンツを表示する際の、３Ｄ状態表示部７０におけるイルミネーション表示処理に着目したフローチャートである。図４は、その場合の３Ｄ状態表示部７０の表示パターンを示したテーブルである。
【００２５】
図４の表示パターンについて簡単に説明する。ユーザは、予め３Ｄ状態表示部７０の表示パターンをパターン１〜３から選択して設定する。初期値では、パターン１が設定されている。パターン１〜３は固定値であってもよいし、ユーザによる変更が可能であってもよい。
【００２６】
原信号が３Ｄ信号であり、画面表示が３Ｄ表示（以下、「３Ｄ画面表示」という）である場合、いずれのパターンでも、３Ｄ状態表示部７０は、色１（青色）で文字「３Ｄ」をイルミネーション表示する。原信号が３Ｄ信号であり、画面表示が２Ｄ表示（以下、「強制２Ｄ画面表示」という）である場合、３Ｄ状態表示部７０は、パターン１では色１（青色）を明滅させて文字「３Ｄ」をイルミネーション表示する。パターン２では、色２（赤色）で文字「３Ｄ」をイルミネーション表示する。パターン３では、３Ｄ状態表示部７０は、色１（青色）明滅状態から消灯させた状態を繰り返して文字「３Ｄ」をイルミネーション表示する。
【００２７】
原信号が２Ｄ信号で画面表示もそのまま２Ｄ画面表示であれば、３Ｄ状態表示部７０はパターン１では色２（白色）で文字「３Ｄ」を点灯表示させ、パターン２及びパターン３では消灯させる。原信号が２Ｄ信号でその２Ｄ信号から３Ｄ信号を生成して画面表示を擬似的に３Ｄ画面表示させる場合、パターン１では、３Ｄ状態表示部７０は、色１（青色）で明滅させる。パターン２では、３Ｄ状態表示部７０は、色３（赤色）で点灯させる。パターン３では、３Ｄ状態表示部７０は、色１（青色）明滅状態から常時点灯への変化を繰り返す。
【００２８】
つぎに、上記のパターン１が設定されているものとして、フローチャートを説明する。まず、液晶テレビ１０では、電源がオンの時に、所定のタイミングで、状態表示設定部５６が、３Ｄイルミネーション表示機能の設定状態を判断する（Ｓ１０）。３Ｄイルミネーション表示機能が「オフ」に設定されていれば（Ｓ１０のＯｆｆ）、状態表示設定部５６は３Ｄ状態表示部７０を常時消灯に制御する（Ｓ１２）。つまり、原信号及び表示状態が３Ｄであるか否かに拘わらず、３Ｄ状態表示部７０は点灯表示されない。
【００２９】
３Ｄイルミネーション表示機能が「手動」に設定されていれば（Ｓ１０の手動）、状態表示設定部５６は、リモートコントローラ８６による操作にのみ応答して３Ｄ状態表示部７０を点灯表示させる（Ｓ１４）。例えば、リモートコントローラ８６の所定のボタンを押下した後、３Ｄ状態表示部７０は継続して点灯表示がなされたり、所定時間だけ点灯表示されたりする。表示態様については、後述する「自動」設定時と同様（例えば図４のパターン１）にしてもよい。
【００３０】
３Ｄイルミネーション表示機能が「オン」に設定されていれば（Ｓ１０のＯｎ）、状態表示設定部５６は、視聴しているコンテンツ（チャンネル）の信号（原信号）が３Ｄ信号であるか否かを判断する（Ｓ１６）。信号が３Ｄ信号である場合（Ｓ１８のＹ）、状態表示設定部５６は画面表示が３Ｄ表示であるか否かを判断する（Ｓ２０）。画面表示が３Ｄ表示である場合（Ｓ２０のＹ）、３Ｄ処理部５２が原信号に対して３Ｄ処理を施し、液晶表示部６２に３Ｄ表示する（Ｓ２２）。このとき、３Ｄグラス制御部６６は、ユーザの装着する３Ｄ用グラスとの同期処理を行う。さらに、状態表示設定部５６は、原信号が３Ｄ信号であり表示状態が３Ｄ表示であることを示す色１で３Ｄ状態表示部７０を表示させる（Ｓ２４）。
【００３１】
画面表示が３Ｄ表示でない場合（Ｓ２０のN）、つまり、２Ｄ表示の場合、３Ｄ−２Ｄ変換部５４は、３Ｄ信号を２Ｄ表示用の信号に変換し、液晶表示部６２に強制的に２Ｄ画面表示させる（Ｓ２６）。このとき、３Ｄグラス制御部６６による同期処理はなされない。さらに、状態表示設定部５６は３Ｄ信号を強制２Ｄ画面表示していることを示す「色１明滅」で３Ｄ状態表示部７０を表示させる（Ｓ２８）。
【００３２】
Ｓ１８の原信号の判断処理において３Ｄ信号でない場合（Ｓ１８のＮ）、つまり、原信号が２Ｄ信号の場合、状態表示設定部５６は、画面表示の設定が２Ｄ画面表示であるか否かを判断する（Ｓ３０）。２Ｄ画面表示である場合（Ｓ３０のＹ）、表示制御部５０は、２Ｄ信号をそのまま液晶表示部６２に２Ｄ画面表示する（Ｓ３２）。さらに、状態表示設定部５６は、３Ｄ状態表示部７０を色２で点灯表示させる（Ｓ３４）。２Ｄ画面表示でない場合（Ｓ３０のＮ）、つまり、疑似３Ｄ画面表示の場合、表示制御部５０は、２Ｄ信号から３Ｄ信号を生成して、液晶表示部６２に３Ｄ画面表示する（Ｓ３６）。このとき、３Ｄグラス制御部６６は、ユーザの装着する３Ｄ用グラスとの同期処理を行う。さらに、状態表示設定部５６は、疑似３Ｄ画面表示である旨を示す色１明滅状態で３Ｄ状態表示部７０を表示させる（Ｓ３８）。
【００３３】
なお、３Ｄ信号を２Ｄ映像表示する強制２Ｄ画面表示について、強制２Ｄ画面表示状態をユーザが任意に設定する場合、例えばＢＤやＨＤＤ等の記録／再生部２４において、「表録画中」又は「表録画中及びホームネットワークコンテンツ録画中」又は「２番組同時録画中」に、別の３Ｄコンテンツを再生しようとしても、パフォーマンスの関係でユーザの意思とは関係なく強制２Ｄ画面表示化する場合がある。つまり、複数のコンテンツを同時録画する場合に、処理能力の関係から、３Ｄ処理を行わない場合がある。その場合、例えば、上記パターンの他に、「色４（黄色）で明滅」、「色４で点灯」、「色４で明滅→消灯」といった分類による表示がなされてもよい。
【００３４】
以上、本実施形態によると、液晶表示部６２の表示状態が３Ｄ映像であるか否かだけでの制御ではなく、表示状態と、入力されている信号の状態にて応じて、３Ｄ状態表示部７０を、その状態を上記パターンで明確に区別した状態表示部制御を行うことができる。従って、例えば、強制２Ｄ画面表示の場合は、本来３Ｄ信号が入力されていること、擬似３Ｄ画面表示の場合は本来２Ｄ信号が入力されていることを、３Ｄ状態表示部７０の制御によって明確化することができる。その結果、ユーザの利便性向上を実現することができる。
【００３５】
つまり、３Ｄ信号を強制２Ｄ画面表示して視聴している状況であれば、信号としては本来３Ｄ信号を受信しているので、所定の操作で強制２Ｄ画面表示から３Ｄ画面表示への切換操作を行い、３Ｄ用グラスを用意すれば、３Ｄ視聴を楽しむことが可能な状態であることを、状態表示部の所定の表示制御によって、一目瞭然に報知できる。また、２Ｄ信号を擬似画面表示して視聴している状況であれば、原信号として２Ｄ信号を受信しているので、所定の操作で擬似３Ｄ画面表示から２Ｄ画面表示への切換操作を行えば、今使っている３Ｄ用グラスを外して視聴することが可能な状態であることを３Ｄ状態表示部７０の所定の表示制御によって、一目瞭然に報知できる。
【００３６】
なお、３Ｄ状態表示部７０における表示は上記条件に限らず、例えば、別のチャンネルで、３Ｄコンテンツの番組が放送中である場合、その旨を所定の色や点滅状態等で示してもよい。
【００３７】
＜第２の実施形態＞
本実施形態では、外部機器１１から信号を液晶表示部６２に表示させる場合の３Ｄ状態表示部７０の表示処理について説明する。液晶テレビ１０は、図１及び図２で示した構成と同様である。図５は、本実施形態に係る３Ｄ状態表示部７０におけるイルミネーション表示処理に着目したフローチャートである。
【００３８】
つぎに、液晶テレビ１０では、電源がオンの時に、所定のタイミングで、状態表示設定部５６が、３Ｄイルミネーション表示機能の設定状態を判断する（Ｓ１１０）。３Ｄイルミネーション表示機能が「オフ」に設定されていれば（Ｓ１１０のＯｆｆ）、状態表示設定部５６は３Ｄ状態表示部７０を常時消灯に制御する（Ｓ１１２）。
【００３９】
３Ｄイルミネーション表示機能が「手動」に設定されていれば（Ｓ１１０の手動）、状態表示設定部５６は、リモートコントローラ８６による操作にのみ応答して３Ｄ状態表示部７０を点灯表示させる（Ｓ１１４）。
【００４０】
３Ｄイルミネーション表示機能が「オン」に設定されていれば（Ｓ１１０のＯｎ）、液晶テレビ１０は３Ｄイルミネーション表示機能がオンとしてスタンバイ状態に制御される（Ｓ１１８）。
【００４１】
つづいて、スタンバイ状態で所定期間内又はリモコン操作により外部機器１１からの入力信号が検出されると（Ｓ１１８）、状態表示設定部５６は原信号（入力信号）が３Ｄ信号であるか否かを判断する（Ｓ１２０）。
【００４２】
入力信号が３Ｄ信号である場合（Ｓ１２０のＹ）、３Ｄ処理部５２は、液晶表示部６２に外部機器１１から入力した３Ｄ信号を３Ｄ画面表示する（Ｓ１２２）。さらに、状態表示設定部５６では、その旨を示す色５が表示される（Ｓ１２４）。
【００４３】
入力信号が３Ｄ信号でない場合（Ｓ１２０のＹ）、つまり２Ｄ信号の場合、表示制御部５０は液晶表示部６２に外部機器１１から入力した２Ｄ信号を２Ｄ画面表示する（Ｓ１２６）。さらに、状態表示設定部５６では、消灯表示となる（Ｓ１２８）。
【００４４】
本実施形態によると、外部機器１１を表示する際にも液晶テレビ１０で原信号がどのような信号かを把握できる。特に、外部機器１１のランプ等の表示部は、収納ラックに収納された場合、見ることができないことがある。また、そもそも３Ｄ信号か否かの表示がないケースもある。したがって、ユーザの利便性を向上させることができる。
【００４５】
なお、外部機器１１と液晶テレビ１０がＨＤＭＩインタフェイスでリンク可能に接続されている場合、液晶テレビ１０は、外部機器１１のコンテンツの情報を把握することができる。したがって、状態表示設定部５６は、外部機器１１のコンテンツの情報を参照した結果、もとのコンテンツが３Ｄコンテンツであるのに、２Ｄ信号で送信されてきたといったことを判別することが可能である。つまり、状態表示設定部５６は、外部機器１１から取得した信号が、３Ｄ信号を２Ｄ信号に変換したものであるか否かを判断することができる。そして、３Ｄ信号を２Ｄ信号に変換したものである場合に、３Ｄ状態表示部７０において、その旨を所定の色で表示してもよい。ユーザは、その表示を参考に、液晶テレビ１０側で、擬似３Ｄ表示させるように、リモートコントローラ８６を操作する。なお、自動的に擬似３Ｄ表示させてもよい。また、外部機器１１の他の例として、携帯電話や通信機能を有するメディアプレーヤ等の携帯端末がある。それらの通信インタフェイスとして、赤外線通信（ＩｒＳＳ）やＷｉＦｉ等によるＩＰ無線通信を利用することができる。さらに、外部機器１１として、ＵＳＢメモリやＤＬＮＡ経由で接続されるホームネットワークサーバがある。これらの外部機器１１から取得した静止画や動画のコンテンツが３Ｄコンテンツの場合にも、３Ｄ状態表示部７０において所定の色で表示してもよい。また、記録サイズが大きく受信に時間が一定時間かかるコンテンツについては、再生開始前であっても３Ｄコンテンツを受信中である旨を分かるように所定の表示態様で表示してもよい。また、静止画であるか動画であるかが認識可能に表示されてもよい。
【００４６】
＜第３の実施形態＞
本実施形態では、液晶テレビ１０で、デジタル受信部３０で受信したコンテンツ又は記録／再生部２４で再生中のコンテンツを液晶表示部６２に表示しているときに、外部機器１１からの信号を検知したときの処理について、図６のフローチャートを参照して説明する。また、図７は、３Ｄ状態表示部７０の表示パターンを示している。ここでは、パターン１ａに従うものとする。
【００４７】
なお、３Ｄ状態表示部７０の表示態様について、デジタル受信部３０又は記録／再生部２４のコンテンツの再生時の処理（Ｓ１０〜Ｓ３８）は同じであるので、主に異なる点、つまり、外部機器１１からの信号を検知した際の処理（Ｓ２４ａ、Ｓ２４ｂ、Ｓ２８ａ、Ｓ２８ｂ、Ｓ３４ａ、Ｓ３４ｂ、Ｓ３８ａ、Ｓ３８ｂ、）について説明する。
【００４８】
液晶表示部６２が３Ｄ信号を３Ｄ画面表示し（Ｓ２２）、３Ｄ状態表示部７０が色１で点灯表示されている場合に（Ｓ２４）、状態表示設定部５６は、３Ｄ信号外部機器１１から３Ｄ信号が入力されているか否の検知処理を行う（Ｓ２４ａ）。
【００４９】
３Ｄ信号が入力されていない場合（Ｓ２４ａのＮ）、つまり２Ｄ信号の場合、状態表示設定部５６は、３Ｄ状態表示部７０の表示状態を変更せずそのまま継続する。３Ｄ信号が入力されている場合（Ｓ２４ａのＹ）、状態表示設定部５６は、３Ｄ状態表示部７０の表示状態を、色１と色５の交互点灯に変更する（Ｓ２４ｂ）。
【００５０】
つぎに、液晶表示部６２が３Ｄ信号を強制２Ｄ画面表示し（Ｓ２６）、３Ｄ状態表示部７０が色１で明滅表示されている場合に（Ｓ２８）、状態表示設定部５６は、３Ｄ信号外部機器１１から３Ｄ信号が入力されているか否の検知処理を行う（Ｓ２８ａ）。
【００５１】
３Ｄ信号が入力されていない場合（Ｓ２８ａのＮ）、状態表示設定部５６は、３Ｄ状態表示部７０の表示状態を変更せずそのまま継続する。３Ｄ信号が入力されている場合（Ｓ２８ａのＹ）、状態表示設定部５６は、３Ｄ状態表示部７０の表示状態を、色１（明滅）と色５の交互点灯に変更する（Ｓ２８ｂ）。
【００５２】
つづいて、液晶表示部６２が２Ｄ信号を２Ｄ画面表示し（Ｓ３２）、３Ｄ状態表示部７０が色２で表示されている場合に（Ｓ３４）、状態表示設定部５６は、３Ｄ信号外部機器１１から３Ｄ信号が入力されているか否の検知処理を行う（Ｓ３４ａ）。
【００５３】
３Ｄ信号が入力されていない場合（Ｓ３４ａのＮ）、状態表示設定部５６は、３Ｄ状態表示部７０の表示状態を変更せずそのまま継続する。３Ｄ信号が入力されている場合（Ｓ３４ａのＹ）、状態表示設定部５６は、３Ｄ状態表示部７０の表示状態を、色２と色５の交互点灯に変更する（Ｓ３４ｂ）。
【００５４】
また、液晶表示部６２が２Ｄ信号を強制３Ｄ画面表示し（Ｓ３６）、３Ｄ状態表示部７０が色１で明滅表示されている場合に（Ｓ３８）、状態表示設定部５６は、３Ｄ信号外部機器１１から３Ｄ信号が入力されているか否の検知処理を行う（Ｓ３８ａ）。
【００５５】
３Ｄ信号が入力されていない場合（Ｓ３８ａのＮ）、状態表示設定部５６は、３Ｄ状態表示部７０の表示状態を変更せずそのまま継続する。３Ｄ信号が入力されている場合（Ｓ３８ａのＹ）、状態表示設定部５６は、３Ｄ状態表示部７０の表示状態を、色１（明滅）と色５の交互点灯に変更する（Ｓ３８ｂ）。
【００５６】
本実施形態によると、外部入力経路（ＨＤＭＩ、ＷｉＦｉ等）を介する周辺機器（ＢＤレコーダや衛星放送受信器、モバイル端末やメディアタブレット等）から３Ｄ信号を受信した状況で、その時点で外部機器１１のコンテンツを視聴していない場合、３Ｄ状態表示部７０の所定の表示制御によって、液晶テレビ１０に外部機器１１から３Ｄ信号が入力されていて、外部入力に切換えれば３Ｄ視聴を楽しめる状態であることを一目瞭然に報知できる。
【００５７】
なお、スタンバイ時に、例えば、リモートコントローラ８６等の操作があったときに、状態表示設定部５６は、外部機器１１からの外部入力経路において３Ｄ信号有無をスキャンするようにしてもよい。また、状態表示設定部５６は、所定の周期にて、外部入力経路における３Ｄ信号有無をポーリングしスキャンするようにしてもよい。
【００５８】
＜第４の実施形態＞
本実施形態では、視聴中のチャンネル以外で、３Ｄ放送が受信されているケースについて説明する。例えば、原信号に応じて図４に示したパターンによる３Ｄ状態表示部７０の表示をしている場合に、状態表示設定部５６が、ＥＰＧや取得したＴＳを参照して、別のチャンネルで３Ｄコンテンツの視聴が可能と判断すると、３Ｄ状態表示部７０の表示態様を変更する。例えば、色６で表示する。このような処理をすることで、他のチャンネルが３Ｄ放送をしていること、そして選局操作したら場合に他チャンネルの３Ｄ放送を楽しめる状態であることを一目瞭然に報知できる。
【００５９】
＜第５の実施形態＞
本実施形態では、所定時間後までの間に３Ｄ放送が受信可能な場合について説明する。図８は、本実施形態にかかる、二つの３Ｄ状態表示部７０を有し予定されている３Ｄ放送を報知する場合の表示状態を示した図である。例えば、原信号に応じて図４に示したパターンによる３Ｄ状態表示部７０の表示をしている場合に、状態表示設定部５６が、ＥＰＧを参照して、所定時間以内に３Ｄ放送のプログラムが存在していると判断すると、その旨が分かるように３Ｄ状態表示部７０の表示態様を変更する。３Ｄ状態表示部７０が、図１に示したように、１セットの構成からなる場合には、表示色を変更したり、明滅させたりする。ここで、３Ｄ状態表示部７０が２セット（７０ａ、７０ｂ）から構成されるケースについて説明する。左側の３Ｄ状態表示部７０ａには、現時点の信号及び表示態様に応じた表示制御がなされる。
【００６０】
そして、右側の３Ｄ状態表示部７０ｂでは、例えば、２時間以内の予定されている番組について３Ｄ放送のプログラムがある場合に、所定の表示制御がなされる。ここでは、ＥＰＧを参照することで３０分後に３Ｄ放送があると判断されると、図８（ａ）に示すように、比較的小さな表示がなされる。一方、直近（５分後）に３Ｄ放送が予定されている場合には、左側の３Ｄ状態表示部７０ａと同じ大きさで表示される。つまり、状態表示設定部５６は、予定時間までの長さに応じて、３Ｄ状態表示部７０ｂの表示の大きさを変更する。
【００６１】
なお、３Ｄ放送が予定されているチャンネルが、現在のチャンネルと同じ場合は、同じ色で表示され、異なるチャンネルで予定されている場合は、異なる色で表示される。
【００６２】
＜第６の実施形態＞
図９は、本実施形態に係る、ＥＰＧの選択状態と３Ｄ状態表示部の表示パターンの関係を示した図である。また、図１０は、ＥＰＧの選択状態と３Ｄ状態表示部７０との連動表示処理を示したフローチャートである。
【００６３】
上記のようなＥＰＧにてカーソルが選択している枠の番組が３Ｄ番組情報を含んでいるか否かに基づいて３Ｄ状態表示部７０の表示が制御される。この処理を、図１０のフローチャートを参照して説明する。まず、ユーザ操作により、ＥＰＧ上でカーソルを移動しある番組が選択操作された場合、選択された枠の番組が３Ｄコンテンツであるか否かが判断される（Ｓ２１０）。判断時には、状態表示設定部５６が、ＥＰＧ／ＯＳＤ処理部８０から該当の番組が３Ｄコンテンツであるか２Ｄコンテンツであるか否かを取得して判断する。選択された枠の番組が３Ｄコンテンツである場合（Ｓ２１０のＹ）、３Ｄ状態表示部７０は例えば色１（青色）で表示される（Ｓ２１２）。選択された枠の番組が２Ｄコンテンツである場合（Ｓ２１０のＮ）、３Ｄ状態表示部７０は例えば色２（白色）で表示される（Ｓ２１２）。
【００６４】
例えば、図９（ａ）では、カーソルが選択している番組は、放送局「ＸＹＺ１」、時刻１９：００〜２０：００で、番組「特集１２３」であり、２Ｄのコンテンツである。この場合、３Ｄ状態表示部７０は色２（白）で点灯する。図９（ｂ）では、カーソルが選択している番組は、放送局「ＸＹＺ１」、時刻２０：００〜２１：００で、番組「ドラマＡＢＣ」であり、３Ｄのコンテンツである。この場合、３Ｄ状態表示部７０は色１（青）で点灯する。さらに、図９（ｃ）では、カーソルが選択している番組は、放送局「ＷＸＹ１」、時が２０：００〜２１：００で、番組「株式ニュース」であり、２Ｄのコンテンツである。その場合、３Ｄ状態表示部７０は色２（白）で点灯する。
【００６５】
なお、上記表示態様に限らず、制御項目としては、点灯／別色点灯、点滅／別色点滅、明滅／別色明滅、消灯等が想定される。このような処理を行うことで、ＥＰＧを用いて視聴予約する場合等であっても、予約する番組が３Ｄコンテンツか否かを判断することができる。
【００６６】
＜第７の実施形態＞
図１１は、本実施形態に係る、３Ｄ視聴累計による警告処理に伴う３Ｄ状態表示部７０の表示処理を示したフローチャートであり、３Ｄ又は擬似３Ｄコンテンツを視聴開始から所定時間継続視聴した際、状態表示設定部５６は、３Ｄ状態表示部７０の表示制御を３Ｄ視聴の超過として警告表示する。
【００６７】
具体的には、３Ｄ又は擬似３Ｄコンテンツの視聴が開始されると（Ｓ３１０）、状態表示設定部５６は、３Ｄ又は擬似３Ｄコンテンツの視聴時間の累計処理を開始する（Ｓ３１２）。なお、例えば数分程度の中断は、継続視聴と判断して累計処理の初期化は行わない。つづいて、３Ｄ又は擬似３Ｄコンテンツの視聴に対応した３Ｄ状態表示部７０の表示制御がなされる（Ｓ３１４）。そして、状態表示設定部５６は、視聴累計時間が所定時間以内であるかチェックし（Ｓ３１６）、所定時間以内であれば（Ｓ３１６のＹ）、３Ｄ状態表示部７０の表示制御を通常通り継続する（Ｓ３１４）。例えば、３Ｄ状態表示部７０は、色１（青）の点灯状態に制御される。一方で、所定時間を超えていれば（Ｓ３１６のＮ）、状態表示設定部５６は、警告状態で３Ｄ状態表示部７０の表示制御を行う（Ｓ３１８）。例えば、３Ｄ状態表示部７０は、色１（青）の点滅状態に制御される。
【００６８】
このような処理を行うことで、画面表示自体に影響を与えず、３Ｄコンテンツの視聴時間が適正であるかいなかを判断することができる。なお、本処理を上述の第５の実施形態に適用し、ＥＰＧで視聴予約する際に、想定される３Ｄ視聴累計時間が所定時間を超える場合に、警告状態で３Ｄ状態表示部７０を表示させるようにしてもよい。さらに、その場合、３Ｄ又は疑似３Ｄコンテンツ表示が出来ないように設定されるようにしてもよい。
【００６９】
＜第８の実施形態＞
図１２は、本実施形態に係る、３Ｄサラウンド設定情報を３Ｄ状態表示部７０へ反映させるときの処理を示したフローチャートである。
【００７０】
３Ｄサラウンド設定として、メーカー推奨の汎用的な設定の「標準」、映画館の設定である「ムービーシアター」、コンサートホールの設定である「コンサートホール」、及び３Ｄサラウンドを行わない「切」、の４つの設定がある。この設定は、例えば、ユーザがホームメニューから、「設定」→「音声調整」→「３Ｄサラウンド」といった設定階層を所定の選択画面まで選択していくことでなされる。
【００７１】
３Ｄ又は擬似３Ｄコンテンツの視聴が開始されると（Ｓ４１０）、状態表示設定部５６は、３Ｄサラウンド設定がなされているか、つまり「切（ｏｆｆ）」設定がなされているか否かをチェックする（Ｓ４１２）。「切（ｏｆｆ）」設定の場合（Ｓ４１２のＹ）、状態表示設定部５６は３Ｄ状態表示部７０を消灯制御する（Ｓ４１４）。なお、「３Ｄ」の２文字のうち、一方の文字のみ、例えば「３」の数字のみを３Ｄサラウンド設定に関する表示制御対象としてもよい。
【００７２】
３Ｄサラウンド設定がなされている場合（Ｓ４１２のＮ）、状態表示設定部５６は３Ｄサラウンド設定として「ムービーシアター」が選択されているか否かをチェックする（Ｓ４１６）。「ムービーシアター」が選択されている場合（Ｓ４１６のＹ）、状態表示設定部５６は、３Ｄ状態表示部７０を「ムービーシアター」に対応する表示態様、例えば、色１（青）に制御する（Ｓ４１８）。
【００７３】
「ムービーシアター」が選択されていない場合（Ｓ４１６のＮ）、状態表示設定部５６は３Ｄサラウンド設定として「コンサートホール」が選択されているか否かをチェックする（Ｓ４２０）。「コンサートホール」が選択されている場合（Ｓ４２０のＹ）、状態表示設定部５６は、３Ｄ状態表示部７０を「コンサートホール」に対応する表示態様、例えば、色２（白）に制御する（Ｓ４２２）。そして、「コンサートホール」が選択されていない場合（Ｓ４２０のＮ）、状態表示設定部５６は、３Ｄ状態表示部７０を「標準」に対応する表示態様、例えば、色３（赤）に制御する（Ｓ４２４）。
【００７４】
このような処理を行うことで、音声設定が３Ｄサラウンドであるか否かを、画面上で確認することなく、言い換えると、コンテンツの表示をじゃますることなく把握することができる。
【００７５】
＜第９の実施形態＞
図１３は、本実施形態に係る、３Ｄ明るさ設定情報を３Ｄ状態表示部７０へ反映させるときの処理を示したフローチャートである。
【００７６】
３Ｄ明るさ設定として、メーカー推奨の汎用的な設定の「標準」、標準より明るさを強めた設定の「強」、及び標準より明るさを弱めた設定の「弱」の３つの設定がある。この設定は、例えば、ユーザがホームメニューから、「設定」→「映像調整」→「３Ｄ明るさアップ」といった設定階層を所定の選択画面まで選択していくことでなされる。なお、３Ｄ明るさ設定とは、３Ｄ又は疑似３Ｄコンテンツ表示時の画面の明るさ設定である。
【００７７】
３Ｄ又は擬似３Ｄコンテンツの視聴が開始されると（Ｓ５１０）、状態表示設定部５６は、３Ｄ明るさ設定が「弱」となっているか否かをチェックする（Ｓ５１２）。「弱」設定の場合（Ｓ５１２のＹ）、状態表示設定部５６は３Ｄ明るさ設定の「弱」に対応する表示態様、例えば、色１（青）に制御する（Ｓ５１４）。
【００７８】
「弱」設定でない場合（Ｓ５１２のＮ）、状態表示設定部５６は３Ｄあかるさ設定として「強」が選択されているか否かをチェックする（Ｓ５１６）。「強」が選択されている場合（Ｓ５１６のＹ）、状態表示設定部５６は、３Ｄ状態表示部７０を「強」に対応する表示態様、例えば、色２（白）に制御する（Ｓ５１８）。そして、「強」が選択されていない場合（Ｓ４２０のＮ）、状態表示設定部５６は、３Ｄ状態表示部７０を「標準」に対応する表示態様、例えば、色３（赤）に制御する（Ｓ５２０）。
【００７９】
このような処理を行うことで、３Ｄ明るさ設定がどのように設定されているかを画面上で確認することなく、言い換えると、コンテンツの表示をじゃますることなく把握することができる。
【００８０】
以上、本発明を実施形態をもとに説明した。この実施形態は例示であり、それらの各構成要素の組み合わせにいろいろな変形例が可能なこと、またそうした変形例も本発明の範囲にあることは当業者に理解されるところである。
【符号の説明】
【００８１】
１０  液晶テレビ
１１  外部機器
２０  ソース部
２２  外部入力部
２４  記録／再生部
３０  デジタル受信部
３２  デジタルチューナ部
３４  デジタル復調部
３６  分離部
４２  デコード／キャプチャ部
４４  ビデオセレクタ部
４６  映像処理部
５０  表示制御部
５２  ３Ｄ処理部
５４  ３Ｄ−２Ｄ変換部
５６  状態表示設定部
６２  液晶表示部
６６  ３Ｄグラス制御部
７０、７０ａ、７０ｂ  ３Ｄ状態表示部
８０  ＥＰＧ／ＯＳＤ処理部
８４  リモコン受信部
８６  リモートコントローラ
９０  ＣＰＵ
９２  メモリ
【図１】
0005865719.tif 000002
【図２】
0005865719.tif 000003
【図３】
0005865719.tif 000004
【図４】
0005865719.tif 000005
【図５】
0005865719.tif 000006
【図６】
0005865719.tif 000007
【図７】
0005865719.tif 000008
【図８】
0005865719.tif 000009
【図９】
0005865719.tif 000010
【図１０】
0005865719.tif 000011
【図１１】
0005865719.tif 000012
【図１２】
0005865719.tif 000013
【図１３】
0005865719.tif 000014